(57)【特許請求の範囲】
【請求項１】
表示部を有する表示板と、この表示板上に配置されるリング部材とを備えた表示装置であって、前記リング部材は一方側から他方側にかけて傾斜して形成され低部位箇所に設けられた貫通穴を有する基部と、この基部上に配置され前記貫通穴に挿通される固定部を有する先端部とからなり、前記固定部は、前記基部を介して前記固定部に対応した前記表示板箇所に設けられた穴部に挿入されて前記表示板に固定されていることを特徴とする表示装置。
【請求項２】
前記先端部は、前記固定部を除いた裏面側の所定箇所に係止片を備えており、この係止片は前記基部に設けられた係合部に固定されていることを特徴とする請求項１に記載の表示装置。
【請求項３】
前記基部は、前記貫通穴を除いた裏面側の所定箇所に固定ピンを備えており、この固定ピンは前記表示板に設けられたピン孔に挿入されて前記表示板に固定されていることを特徴とする請求項１または請求項２に記載の表示装置。
【請求項４】
前記基部は、前記貫通穴を除いた裏面側の所定箇所に係止片を備えており、この係止片は前記表示板に設けられた係合部に固定されていることを特徴とする請求項１または請求項２に記載の表示装置。
【発明の詳細な説明】
【技術分野】
【０００１】
本発明は、例えば車両用の表示装置に関し、表示板に設けられた表示部の周囲あるいは表示板の周縁に装飾用のリング部材を配置した表示装置に関するものである。
【背景技術】
【０００２】
例えば車両用の表示装置に於いて、表示板に設けられ車両の速度やエンジン回転数などを示す表示部の周囲に装飾用のリング部材を配置したものとして、例えば下記特許文献１に記載のものが知られている。特許文献１に於けるリング部材３３は、リング部材３３に係止片３３ｂを設けて見返し板９（或いは文字板３２）に固定させたものである。
【０００３】
この様な表示装置に於いて、デザイン上の理由からリング部材の高さを一定とするのではなく、高低を付けることがある。例えば、表示板と透視板との隙間（特許文献１に於ける文字板３２と表ガラス１１との隙間）が広い方を高くして、隙間が狭い方を低くする。そして、先端側（透視板側）の一定幅箇所のみを例えばメタリック調とすることがある。この場合には、リング部材をメタリック調に形成した先端部とそれ以外の基部（表示板側）とに分割して、先端部に係止片を設けて基部に固定（係止）し、基部は見返し板或いは表示板に固定するようにしている。
【特許文献１】特開２００３−２２２５３９号公報
【発明の開示】
【発明が解決しようとする課題】
【０００４】
しかしながら、表示板と透視板との隙間が狭い方の基部は高さが低く、係止片を係止するだけの厚み（高さ）がない。よって、先端部を基部に固定する際は例えば両面粘着テープを用いるようにする。しかし、両面粘着テープを必要とすると共に、両面粘着テープのはみ出しを注意しながらの作業となるために作業性も低下して、コストアップを招いてしまうという問題があった。
【０００５】
本発明はこの様な点に鑑みなされたもので、表示板に装飾用のリング部材を配置した表示装置に関し、製造コストの上昇を抑えることが可能な表示装置を提供することを目的とする。
【課題を解決するための手段】
【０００６】
本発明は前記目的を達成するため、表示部を有する表示板と、この表示板上に配置されるリング部材とを備えた表示装置であって、前記リング部材は一方側から他方側にかけて傾斜して形成され低部位箇所に設けられた貫通穴を有する基部と、この基部上に配置され前記貫通穴に挿通される固定部を有する先端部とからなり、前記固定部は、前記基部を介して前記固定部に対応した前記表示板箇所に設けられた穴部に挿入されて前記表示板に固定されているものである。
【０００７】
また、前記先端部は、前記固定部を除いた裏面側の所定箇所に係止片を備えており、この係止片は前記基部に設けられた係合部に固定されているものである。
【０００８】
また、前記基部は、前記貫通穴を除いた裏面側の所定箇所に固定ピンを備えており、この固定ピンは前記表示板に設けられたピン孔に挿入されて前記表示板に固定されているものである。
【０００９】
また、前記基部は、前記貫通穴を除いた裏面側の所定箇所に係止片を備えており、この係止片は前記表示板に設けられた係合部に固定されているものである。
【発明の効果】
【００１０】
表示板に装飾用のリング部材を配置した表示装置に関し、製造コストの上昇を抑えることが可能な表示装置を得ることができる。
【発明を実施するための最良の形態】
【００１１】
本発明を、車両用の表示装置を実施形態として説明する。図１は本発明の第１実施形態を示す表示装置の正面図であり、図２は、表示装置の断面図（図１に於けるＡ−Ａ断面）である。図３は、表示装置に備えられているリング部材を表示板に固定した状態を示す部分断面図（図２に於けるＱ箇所の詳細）である。図４はリング部材を構成する基部の正面図であり、図５，図６は基部の断面図（図４に於けるＢ−Ｂ断面，Ｃ−Ｃ断面）である。図７はリング部材を構成する先端部の裏面図であり、図８，図９は先端部の断面図（図７に於けるＤ−Ｄ断面，Ｅ−Ｅ断面）であり、図１０は先端部の部分側面図（図７に於けるＺ矢視）である。図１１は、先端部を基部に固定した状態を示す部分断面図である。
【００１２】
表示装置は、表示器としての例えば速度計１とエンジン回転計２を備えている。表示器は、硬質な回路基板３と、この回路基板３の裏面側に回路基板３と導通状態で装着され、回路基板３を貫通して前方に延びる回動軸４を有する表示器本体５と、回動軸４に固着され指示部６を有する指針７と、この指針７の背後に配置され指示部６の指示対象となる車両の速度やエンジン回転数を現す目盛，数字などの表示部８が設けられた表示板９と、この表示板９上に配置された装飾用のリング部材１０を備えている。
【００１３】
また、表示板９と回路基板３との間に配置され表示板９が保持されるケース１１と、表示板９周縁の表面側に配置され表示板９の可視領域を定める開口部１２を有する例えば黒色の合成樹脂からなる見返し部材１３と、指針７や表示板９の前方側に配置された無色透明な合成樹脂からなる透視板１４と、回路基板３の裏面側を被う合成樹脂製のカバー１５と、回路基板３上に実装され指針７や表示板９を背後から照明する光源としての発光ダイオード１６，１６Ａなどを備えており、夜間など周囲が暗い時に各発光ダイオード１６，１６Ａを点灯させることで指針７の指示部６および表示板９の表示部８がそれぞれ照明されるようになっている。
【００１４】
ケース１１は、遮光性のある例えば白色の合成樹脂からなり、指針７用の発光ダイオード１６を囲むように表示板９と回路基板３との間に配置された筒部１７と、表示板９用の発光ダイオード１６Ａを取り巻くように傾斜して形成された傾斜壁１８と、表示板９が支持される前面部１９や外周壁２０などを有している。
【００１５】
リング部材１０は、表示板９に設けられた表示部８の周囲に配置され、一方側から他方側（表示板９と透視板１４との隙間が広い方から狭い方）にかけて傾斜して形成されている。また、このリング部材１０は、基部１０１と、この基部１０１上に配置される先端部１０２とに分割されている。
【００１６】
基部１０１は、例えば黒色の合成樹脂からなり、表示板９と透視板１４との隙間が広い方から狭い方にかけて（図２中、上側から下側にかけて）傾斜して形成されている。この基部１０１を傾斜させることによって、リング部材１０が一方側から他方側にかけて傾斜しているものである。また、前面側（先端部１０２側）には前溝部２１が設けられ、後面側（表示板９側）には後溝部２２が設けられており、前溝部２１と後溝部２２を設けることによって繋ぎ部２３が形成される。基部１０１が一方側から他方側にかけて傾斜しているために、後溝部２２の深さは徐々に浅くなっている。そして、高さの低い箇所（低部位箇所Ｐ）の繋ぎ部２３には貫通穴２４が設けてある。
【００１７】
また、貫通穴２４が設けられた低部位箇所Ｐを除いた繋ぎ部２３の所定箇所には、係合部としての複数（本実施形態に於いては５箇所）の係合穴２５が設けてある。この係合穴２５は略長穴で、詳細は後述するが、先端部１０２に設けられた係止片２６が挿入されるようになっている。また、低部位箇所Ｐを除いた後面の所定箇所には複数の固定ピン２７が設けてある。この固定ピン２７は、図３に示す様に表示板９に設けられたピン孔２８に挿入されて、下端を溶かすことによって基部１０１が表示板９に固定される。
【００１８】
先端部１０２は、例えば黒色の合成樹脂からなり、表面には金属調の蒸着あるいはメッキが施してある。そして、後面側（基部１０１側）には基部１０１に設けられた前溝部２１に挿入されるリブ２９が設けてある。このリブ２９が前溝部２１に挿入されることによって、先端部１０２と基部１０１との径方向の位置が定まるようになっている。また、基部１０１に設けられた貫通穴２４に対応した箇所には、貫通穴２４に挿通される固定部３０が設けてある。また、基部１０１の係合穴２５に対応した５箇所には一対の係止片２６がそれぞれ設けてある。
【００１９】
リング部材１０を表示板９に固定する方法について説明する。先ず、先端部１０２を基部１０１に固定する。先端部１０２の固定部３０を基部１０１の貫通穴２４に挿通すると共に、係止片２６を繋ぎ部２３に設けた各係合穴２５に挿入する。その際、係止片２６が内側に撓みながら係合穴２５に挿入され、係止片２６の先端側に設けられた係止爪３１が繋ぎ部２３を外れた時点で元の位置に戻り、係止爪３１が繋ぎ部２３の後面に係止されることによって、先端部１０２が基部１０１に固定される（図１１参照）。なお、それぞれの係止片２６を１片とし、それが繋ぎ部２３の後面に係止されるようになっていても良い。
【００２０】
次に、先端部１０２が固定された基部１０１（つまり、リング部材１０）を表示板９に固定する。基部１０１に設けられた複数の固定ピン２７を表示板９のピン孔２８に挿入すると共に、基部１０１の貫通穴２４を挿通した固定部３０の先端側を表示板９の穴部３２に挿入する。このピン孔２８および穴部３２は、基部１０１に設けられた固定ピン２７および先端部１０２に設けられた固定部３０に対応した表示板９箇所にそれぞれ設けられたものである。そして、固定ピン２７および固定部３０の下端（先端）を溶かす（溶着する）ことによってリング部材１０が表示板９上に固定されるようになる。
【００２１】
この様に、表示板９上に配置されるリング部材１０を備えた表示装置に於いて、リング部材１０を一方側から他方側にかけて傾斜して形成され低部位箇所Ｐに設けられた貫通穴２４を有する基部１０１と、この基部１０１上に配置され貫通穴２４に挿通される固定部３０を有する先端部１０２とに分割し、固定部３０を、基部１０１を介して表示板９箇所に設けた穴部３２に挿入して表示板９に固定するようにすることで、基部１０１の低部位箇所Ｐに先端部１０２を直に固定できない構造であってもリング部材１０を容易に表示板９に固定できる。
【００２２】
また、先端部１０２は、固定部３０を除いた裏面側の所定箇所に係止片２６を備えており、この係止片２６を基部１０１に設けられた係合穴２５に挿入するだけで、係止片２６の先端側に設けられた係止爪３１が繋ぎ部２３の後面に係止されるように構成したことにより、単純な方法で先端部１０２と基部１０１とを固定することができると共に、先端部１０２と基部１０１を予め固定しておくことができ、その後にこのリング部材１０を表示板９に固定する際の作業性が良くなる。よって、製造コストの上昇を抑えることができる。
【００２３】
また、基部１０１は、貫通穴２４を除いた裏面側の所定箇所に固定ピン２７を備えており、この固定ピン２７を表示板９に設けたピン孔２８に挿入して表示板９に溶着するだけでリング部材１０を容易に表示板９に固定できる。
【００２４】
なお、本実施形態に於いては、先端部１０２に設けた固定部３０を基部１０１の貫通穴２４を挿通させて表示板９の穴部３２に挿入して、先端側を溶着することによって表示板９に固定するようにしたが、先端部１０２を基部１０１に固定させる際と同様に、固定部３０を係止爪を設けた係止片として表示板９に固定する様にしても良い。
【００２５】
図１２は本発明の第２実施形態を示し、リング部材を表示板に固定した状態を示す部分断面図（図２に於けるＱ箇所相当）である。それ以外は前記第１実施形態と同じため、説明は省略する。
【００２６】
前記第１実施形態では図３に示す様に、基部１０１の低部位箇所Ｐを除いた後面に複数の固定ピン２７を設け、この固定ピン２７を表示板９に設けたピン孔２８に挿入し、下端を溶着して基部１０１を表示板９に固定する様にしたが、本実施形態に於いては、固定ピン２７に代えて係止爪３１を有する係止片２６Ａを設け、表示板９に設けた係合部としての係合穴２５Ａに挿入して、係止爪３１が表示板９の裏面に係止されることによって、基部１０１が表示板９に固定されるというものである。
【００２７】
この様に構成することにより、先端部１０２が固定された基部１０１（リング部材１０）を表示板９に固定する際は、係止片２６Ａを表示板９の係合穴２５Ａに挿入するだけで良く、前記第１実施形態の様に固定ピン２７の溶着を必要とせず、作業性が更に改善される。
【００２８】
なお、本発明に於けるリング部材の形状や色調は実施形態に限定されるものではない。例えば速度計用とエンジン回転計用とのリング部材が一体となったものでも良い。
【図面の簡単な説明】
【００２９】
【図１】本発明の第１実施形態を示す表示装置の正面図。
【図２】同表示装置の断面図（図１に於けるＡ−Ａ断面）。
【図３】同表示装置に備えられているリング部材を表示板に固定した状態を示す部分断面図。
【図４】同リング部材を構成する基部の正面図。
【図５】同基部の断面図（図４に於けるＢ−Ｂ断面）。
【図６】同基部の断面図（図４に於けるＣ−Ｃ断面）。
【図７】同リング部材を構成する先端部の裏面図。
【図８】同先端部の断面図（図７に於けるＤ−Ｄ断面）。
【図９】同先端部の断面図（図７に於けるＥ−Ｅ断面）。
【図１０】同先端部の部分側面図（図７に於けるＺ矢視）。
【図１１】同先端部を基部に固定した状態を示す部分断面図。
【図１２】本発明の第２実施形態を示し、リング部材を表示板に固定した状態を示す部分断面図。
【符号の説明】
【００３０】
８  表示部
９  表示板
１０  リング部材
１０１  基部
１０２  先端部
Ｐ  低部位箇所
２４  貫通穴
２５，２５Ａ  係合穴（係合部）
２６，２６Ａ  係止片
２７  固定ピン
２８  ピン孔
３０  固定部
３２  穴部
【図１】
0005041292.tif 000002
【図２】
0005041292.tif 000003
【図３】
0005041292.tif 000004
【図４】
0005041292.tif 000005
【図５】
0005041292.tif 000006
【図６】
0005041292.tif 000007
【図７】
0005041292.tif 000008
【図８】
0005041292.tif 000009
【図９】
0005041292.tif 000010
【図１０】
0005041292.tif 000011
【図１１】
0005041292.tif 000012
【図１２】
0005041292.tif 000013